(57)【要約】【課題】電気機器に接続しない通常の場合はショート回路を形成し、所望の電気機器を接続する場合は、その電気機器に設けたコネクタを接続するだけでショート状態が解除され、該電気機器への接続が自動的に行われるようにしたショートコネクタを提供すること。【解決手段】  本実施の形態のショートコネクタ１では、第１コネクタ２０内で、一対の第１端子１０、１０に、互いに対向するように設けられた接触子１５が電気的に接続された状態でショート回路を構成し、一方、所定の電気機器８０のリード線８１に接続された一対の第２端子３０、３０を収納する第２コネクタ４０の、挿入方向先端に凸片４５を設けることにより、第２コネクタ４０を第１コネクタ２０に嵌合すると、凸片４５が接触子１５、１５の間に分け入って第１端子１０、１０のショート回路を切断すると同時に、それぞれの第１端子１０と第２端子３０とを接続して電気機器８０への電気回路を形成する。【選択図】図４
2007287405.tif 000002
【特許請求の範囲】
【請求項１】
メインハーネスから分岐した電線が一端に接続された一対の第１端子と、両第１端子を隣りあって配置し固定保持する第１コネクタと、前記第１端子に接続して電気的に連結する第２端子と、該第２端子を隣りあって配置して固定保持し、前記第１コネクタに嵌合する第２コネクタとを備えた配線コネクタであって、
前記第１端子に設けられ、前記第１コネクタ内で互いに電気的に接離可能で、通常時は接触して前記第１端子同士をショート状態にする接触子と、
前記第２コネクタが前記第１コネクタに嵌合したときに、前記第２端子が前記第１端子に接続されるとともに、該第２コネクタに設けられ、前記接触子に作用して前記第１端子同士のショート状態を断つ切断手段と、
を備えることを特徴とするショートコネクタ。
【請求項２】
請求項１に記載のショートコネクタにおいて、
前記接触子は、前記第１端子に、前記第１コネクタ内で固定保持されるホルダ部に、互いに対向して設けられたものであり、
前記切断手段は、前記第２コネクタに互いに離間して保持される前記第２端子の間から嵌合方向前方に突出する凸片であり、
前記第２コネクタが前記第１コネクタに嵌合したときに、前記凸片が、前記両接触子の間に分け入って、該接触子による電気的接続を切断するとともに、前記第２端子が前記第１端子に接続されてそれぞれ電気的に接続することを特徴とするショートコネクタ。
【発明の詳細な説明】
【技術分野】
【０００１】
本発明は、電線同士を接続するワイヤハーネスコネクタに関し、特に、所望の機器を接続する場合は通常に接続でき、接続しない場合はショート回路を自動的に形成するショート機構付きワイヤハーネスコネクタに関する。
【背景技術】
【０００２】
近年、車両へ取り付ける機器が多種類にわたり、しかも、顧客の希望によりその装着の有無の組み合わせも種々なものとなるため、これに対応する配線（ワイヤハーネス）の種類が増加し、その製造や管理に手間がかかるという問題がある。
【０００３】
そのため、ワイヤハーネスの端末のコネクタ部で、その配線をショート状態にしたり、ショート状態を開放状態に選択できるショート機構付きワイヤハーネコネクタ（以下、「ショートコネクタ」という。）が種々提案されている。
たとえば、（１）下記特許文献１に示すような、複数の回路構成に対応するように配線されたベースハーネスから分岐した端末のコネクタ（雄コネクタ）に、複数のショート回路を形成した雌ショ−トコネクタを選択的に嵌合させて、回路構成の異なるワイヤーハーネスとするもの。
【０００４】
また、（２）下記特許文献２、特許文献３に示すような、リード線に接続された接触子がコネクタの内部でショートしており、この接触子の間に絶縁プラグを挿入することにより、そのショート状態を解除するもの。
【０００５】
さらに、（３）下記特許文献４に示すような、一方のコネクタの内部にバスバーとよばれる金属製の短絡部材を装着しておき、この短絡部材に、コネクタに挿入された一対の端子金具が接触してショート状態となり、他方のコネクタを挿入したときは、端子同士のショート状態が解除され、一方のコネクタに装備された各端子金具と、他方のコネクタに装備された各端子金具とが、それぞれ１対１の対応関係を有して接続されるもの、等がある。
【特許文献１】特開平９−６３３５６号公報
【特許文献２】実開平２−１０８２５６号公報
【特許文献３】特開平６−２９５７７４号公報
【特許文献４】実開平９−５５２８１号公報
【発明の開示】
【発明が解決しようとする課題】
【０００６】
ところが、（１）のワイヤーハーネスでは、雌ショートコネクタを選択することにより種々の回路構成が形成できるが、雄コネクタ毎に数種類の雌ショートコネクタを準備しておく必要があり、ベースハーネスの種類は減っても雌ショートコネクタの種類が増えてその管理が複雑になるという問題がある。
また、（２）のショートコネクタは、単にプラグの抜き差しにより電気回路の開閉を行うことができるだけで、このコネクタから電気機器へ接続する回路は構成できない。このため、電気機器へ接続する回路を別に設ける必要がある。
【０００７】
また、（３）のコネクタでは、一方のコネクタではショート回路が構成され、他方のコネクタを挿入するとそのショート状態が解除されると同時に電気回路が形成されるが、別にバスバーを準備しなければならず、かつ、コネクタ同士の接続時にはバスバーがコネクタの内部に残り、部品点数が増え、コスト高となるという問題がある。
また、特許文献４では、このバスバーを用いたショートコネクタはコネクタ同士の挿入の検査に用いられるものであり、ワイヤハーネスの種類削減の目的はない。
【０００８】
そこで、本発明は、かかる課題を解決すべく、電気機器に接続しない通常の場合はショート回路を形成し、所望の電気機器を接続する場合は、その電気機器に設けたコネクタを接続するだけでショート状態が解除され、該電気機器への接続が自動的に行われるようにしたショートコネクタを提供することを目的とする。
【課題を解決するための手段】
【０００９】
本発明に係る請求項１に記載のショートコネクタは、メインハーネスから分岐した電線が一端に接続された一対の第１端子と、両第１端子を隣りあって配置し固定保持する第１コネクタと、前記第１端子に接続して電気的に連結する第２端子と、該第２端子を隣りあって配置して固定保持し、前記第１コネクタに嵌合する第２コネクタとを備えた配線コネクタであって、前記第１端子に設けられ、前記第１コネクタ内で互いに電気的に接離可能で、通常時は接触して前記第１端子同士をショート状態にする接触子と、前記第２コネクタが前記第１コネクタに嵌合したときに、前記第２端子が前記第１端子に接続されるとともに、該第２コネクタに設けられ、前記接触子に作用して前記第１端子同士のショート状態を断つ切断手段と、を備えることを特徴とする。
【００１０】
よって、所望の電気機器が装備されない場合は、メインハーネスから分岐している電線に接続された一対の第１端子が、該第１端子に各々設けられた接触子によりショートして電気的に閉回路を構成するため、別な雌ショートコネクタ等を設ける必要がなく、その管理も不要となる。
そして、電気機器を接続する場合は、その電気機器に接続されている第２端子を含む第２コネクタを第１端子を含む第１コネクタに接続するだけで、第２コネクタに設けられた切断手段が第１端子のショート回路を切断して、第１端子と第２端子とを自動的に接続することができ、作業者はショート回路を切断する等の特別な意識をする必要がない。
【００１１】
また、本発明に係る請求項２に記載のショートコネクタは、請求項１に記載のショートコネクタにおいて、前記接触子は、前記第１端子に、前記第１コネクタ内で固定保持されるホルダ部に、互いに対向して設けられたものであり、前記切断手段は、前記第２コネクタに互いに離間して保持される前記第２端子の間から嵌合方向前方に突出する凸片であり、前記第２コネクタが前記第１コネクタに嵌合したときに、前記凸片が、前記両接触子の間に分け入って、該接触子による電気的接続を切断するとともに、前記第２端子が前記第１端子に接続されてそれぞれ電気的に接続することを特徴とする。
【００１２】
よって、第１コネクタに第１端子を装着するだけで第１コネクタの内部で第１端子に設けた接触子が互いに接触するため、容易にショートコネクタを形成することができ、さらに、第２コネクタを第１コネクタに挿入するだけで凸片が接触子間に分け入ってショート回路を開きかつ、第１端子と第２端子とを接続するので、所望の電気機器を通常に接続する感覚で配線することができ、取付作業が容易になる。
【発明の効果】
【００１３】
所定の電気機器が接続されないときはコネクタ内でショート回路が構成され、所定の電気機器に設けられたコネクタを接続するだけで、自動的にそのショート回路を解除しつつ所定の電気機器を接続することができ、メインハーネスの種類削減と個別のショートコネクタが不要となる。
【発明を実施するための最良の形態】
【００１４】
次に、本発明に係るショートコネクタの一の実施の形態について図面を参照して説明する。ここで、図１は、本発明のショートコネクタを取り付けたワイヤハーネスの平面図であり、図２、図３は、ショートコネクタの断面図である。
【実施例】
【００１５】
本実施の形態のショートコネクタを取り付けたワイヤハーネスの構成について説明する。ワイヤハーネスは、図１に示すように、メインハーネス７０と、該メインハーネス７０から分岐した電線からなる分岐線７１と、該分岐線７１の先端に接続されたショートコネクタ１とを備える。
なお、分岐線７１の先端には、分岐線７１に接続される電気機器により、通常のコネクタまたはショートコネクタのいずれかが選択的に取り付けられる。
【００１６】
ショートコネクタ１は、図４に示すように、分岐線７１の先端に接続される一対の第１端子１０と、該第１端子１０を内部に収容する第１コネクタ２０と、電気機器８０のリード線８１の先端に接続される一対の第２端子３０と、該第２端子３０を内部に収容する第２コネクタ４０とを備える。
なお、第１、第２端子は、本実施の形態では二対一組で設けられる例で示すので、一方の一対のみの構成を説明する。
【００１７】
第１端子１０は、図２、図５に示すように、分岐線７１が接続される略円筒状の接続部１３と、該接続部１３から長手方向に略平板状で延出するタブ１１とを備えている。
タブ１１の前記接続部１３に近い長手方向中間部には、抜き孔１５１の、前記接続部１３の反対側の端部を抜かずに舌片状に残して、他方の第１端子１０のタブ１１に向かってヘ字状に突出させて折り曲げられた接触子１５が設けられている。
接触子１５は、一対の第１端子１０、１０が第１コネクタ２０内に装着されたときに、互いに対向し且つ電気的に接触するように設けられる。
【００１８】
一対の第１端子１０、１０が装着される第１コネクタ２０は、合成樹脂製の成形品で、図２に示すように、内部にタブ１１の先端部が露出し、後述の第２コネクタが嵌合するコネクタ嵌合部２１と、第１端子１０の接続部１３が収納される端子収容室２３と、該端子収容室２３と前記コネクタ嵌合部２１との長手方向の間に設けられた空間のホルダ部２５と、図２の上下方向中間部で一対の第１端子１０、１０の間に設けられた仕切壁２７とを備えている。
【００１９】
前記第１端子１０は、タブ１１の先端を第１コネクタ２０の端子収容室２３側からホルダ部２５に挿入され、接続部１３が端子収容室２３内に固定されるまで押し込まれて第１コネクタ２０に固定される。他方の第１端子１０も同様に第１コネクタ２０に固定されて、空間のホルダ部２５に前記接触子１５が露出し、該ホルダ部２５内で接触子１５同士が電気的に接触したショート状態に保持される。
【００２０】
つぎに、第２端子３０は、図３に示すように、電気機器８０のリード線８１の先端に接続される略円筒状の接続部３３と、該接続部３３から長手方向にコ字状断面で延出し、その内部にコ字状断面の一方の辺から折り曲げられてへ字状に突出し、へ字状の頂上がコ字状断面の他の辺と接触するタブ嵌合部３１とを備えている。
【００２１】
一対の第２端子３０、３０が装着される第２コネクタ４０は、合成樹脂製の成形品で、図３に示す上下方向の内部中間部に設けられた仕切壁４３を介して、上下に端子収容室４１を備えたものである。
仕切壁４３の、前記第２端子３０のタブ嵌合部３１側の先端には、第２コネクタ４０が第１コネクタ２０に嵌合したときに、前記接触子１５同士の接触を切断する切断手段としての凸片４５が設けられている。
【００２２】
前記第２端子３０は、第２コネクタ４０の前記凸片４５が設けられている反対側の開口部から端子収容室４１に挿入され、タブ嵌合部３１の先端が、凸片４５が設けられた側の開口部と略同一面になるまで押し込まれて第２コネクタ４０内に固定される。他方の第２端子３０も仕切壁４３を挟んで、同様に第２コネクタ４０内に略対称に固定される。
【００２３】
以上のように構成されたショートコネクタ１の作用を説明する。第１コネクタ２０に電気機器が接続されない場合は、第１コネクタ２０および第１端子１０には何も嵌合しないので、接触子１５、１５が図２の電気的に接触したショート状態となり、電気回路がここで接続された閉状態となる。
【００２４】
つぎに顧客の要望により、カーナビゲーションシステムや音響システム、あるいは各種の電動アシスト装置等の電気機器８０が接続される場合は、その電気機器８０のリード線８１先端に接続された第２コネクタ４０を、メインハーネス７０の分岐線７１に接続されている第１コネクタ２０に、そのコネクタ嵌合部２１に凸片４５側から挿入する。
【００２５】
すると、第２端子３０のタブ嵌合部３１に第１端子１０のタブ１１が徐々に挿入されて、第１端子１０と第２端子３０が電気的に接続されながら嵌合する。そして、第２コネクタ４０の凸片４５側の先端面が、第１コネクタ２０の底壁２１１に当接するまで挿入されると、図４に示すように、絶縁材である凸片４５が電気的に接触状態にある接触子１５、１５の間に分け入って該接触子１５を押し広げ、電気的接触状態を切断する。
すなわち、第１コネクタ２０と第２コネクタ４０との接続により、第１端子１０同士の電気的接続を切断すると同時に、第１端子１０と第２端子３０との電気的接続を行うこととなる。
【００２６】
このように、本実施の形態のショートコネクタ１では、第１コネクタ２０内で、一対の第１端子１０、１０に、互いに対向するように設けられた接触子１５が電気的に接続された状態でショート回路を構成し、一方、所定の電気機器８０のリード線８１に接続された一対の第２端子３０、３０を収納する第２コネクタ４０の、挿入方向先端に凸片４５を設けることにより、第２コネクタ４０を第１コネクタ２０に嵌合すると、凸片４５が接触子１５、１５の間に分け入って第１端子１０、１０のショート回路を切断すると同時に、それぞれの第１端子１０と第２端子３０とを接続して電気機器８０への電気回路を形成することが可能となった。
【００２７】
なお、本発明は前記実施の形態のものに限定されるものではなく、その趣旨を逸脱しない範囲で様々な変更が可能である。
【産業上の利用可能性】
【００２８】
本発明は、メインハーネスから分岐した電線が一端に接続された一対の第１端子と、両第１端子を隣りあって配置し固定保持する第１コネクタと、前記第１端子に接続して電気的に連結する第２端子と、該第２端子を隣りあって配置して固定保持し、前記第１コネクタに嵌合する第２コネクタとを備えた配線コネクタであって、前記第１端子に設けられ、前記第１コネクタ内で互いに電気的に接離可能で、通常時は接触して前記第１端子同士をショート状態にする接触子と、前記第２コネクタが前記第１コネクタに嵌合したときに、前記第２端子が前記第１端子に接続されるとともに、該第２コネクタに設けられ、前記接触子に作用して前記第１端子同士のショート状態を断つ切断手段と、を備えるように構成したので、所定の電気機器に接続された第２コネクタをメインハーネスに接続された第１コネクタに接続するだけで、ショート回路の切断と電気機器への配線とを同時に行うことが可能となった。
【図面の簡単な説明】
【００２９】
【図１】本発明の一の実施の形態に係るショートコネクタを取り付けたワイヤハーネスの平面図である。
【図２】本発明の一の実施の形態に係るショートコネクタの、第１コネクタの断面図である。
【図３】本発明の一の実施の形態に係るショートコネクタの、第２コネクタの断面図である。
【図４】本発明の一の実施の形態に係るショートコネクタの、第１コネクタと第２コネクタとを連結してショートコネクタとした断面図である。
【図５】本発明の一の実施の形態に係るショートコネクタの、第１端子の斜視図である。
【符号の説明】
【００３０】
１          ショートコネクタ
１０        第１端子
１１        タブ
１３        接合部
１５        接触子
２０        第１コネクタ
２１        コネクタ嵌合部
２３        端子収容室
２５        ホルダ部
３０        第２端子
３１        タブ嵌合部
３３        接続部
４０        第２コネクタ
４１        端子収容室
４３        仕切壁
４５        凸片（切断手段）
７０        メインハーネス
７１        分岐線
８０        電気機器
８１        リード線
【図１】
2007287405.tif 000003
【図２】
2007287405.tif 000004
【図３】
2007287405.tif 000005
【図４】
2007287405.tif 000006
【図５】
2007287405.tif 000007